(57)【特許請求の範囲】
【請求項１】
電子楽器と、前記電子楽器と通信可能に接続された楽曲再生制御装置とを備えた電子楽器システムであって、
前記電子楽器は、
演奏操作部に対する演奏者による操作に応じて、第１トリガ信号を前記楽曲再生制御装置へ送信するトリガ送信部、
を含み、
前記楽曲再生制御装置は、
前記第１トリガ信号を受信したときに、演奏に伴って再生される伴奏曲の再生開始タイミングを前記演奏者に知らせるカウントを実行する制御を行うカウント実行制御部と、
前記カウントの実行後に続いて、前記伴奏曲を再生する制御を行う楽曲再生制御部と、
を含む、
ことを特徴とする電子楽器システム。
【請求項２】
前記トリガ送信部は、前記演奏者による操作に応じて、前記第１トリガ信号とは異なる第２トリガ信号を前記楽曲再生制御装置へ送信し、
前記カウント実行制御部は、前記第２トリガ信号を受信したときは前記カウントを実行する制御を行わず、
前記楽曲再生制御部は、前記第２トリガ信号を受信したときに、直ちに、予め選択された楽曲を再生する制御を行う、
ことを特徴とする、請求項１に記載の電子楽器システム。
【請求項３】
前記楽曲再生制御装置は、
前記電子楽器と、前記楽曲再生制御装置との間の通信遅延時間を演算する通信遅延時間演算部をさらに含み、
前記電子楽器が前記カウントを実行し前記楽曲再生制御装置が前記伴奏曲を再生する場合、及び前記電子楽器が前記伴奏曲を再生し前記楽曲再生制御装置が前記カウントを実行する場合のいずれかの場合、前記楽曲再生制御部は、演算された前記通信遅延時間に基づいて前記伴奏曲の再生開始タイミングを調整する、
ことを特徴とする、請求項１又は２に記載の電子楽器システム。
【請求項４】
前記電子楽器が前記カウントを実行し前記楽曲再生制御装置が前記伴奏曲を再生する場合、前記カウント実行制御部は、前記第１トリガ信号を受信したときに、カウント指示信号、及び前記伴奏曲のテンポを示すテンポ情報を前記電子楽器へ送信し、
前記電子楽器は、
前記カウント指示信号及び前記テンポ情報を受信したときに、前記テンポ情報が示すテンポに基づいて前記カウントを実行するカウント実行部を含む、
ことを特徴とする、請求項１から３のいずれか１項に記載の電子楽器システム。
【請求項５】
電子楽器と通信可能に接続された楽曲再生制御装置であって、
演奏操作部に対する演奏者による操作に応じて前記電子楽器から送信される第１トリガ信号を受信したときに、演奏に伴って再生される伴奏曲の再生開始タイミングを前記演奏者に知らせるカウントを実行する制御を行うカウント実行制御部と、
前記カウントの実行後に続いて、前記伴奏曲を再生する制御を行う楽曲再生制御部と、
を備えることを特徴とする楽曲再生制御装置。
【請求項６】
楽器モジュールと、前記楽器モジュールと通信可能に接続された楽曲再生制御モジュールとを備えた電子楽器であって、
前記楽器モジュールは、
演奏操作部に対する演奏者による操作に応じて、第１トリガ信号を前記楽曲再生制御モジュールへ送信するトリガ送信部、
を含み、
前記楽曲再生制御モジュールは、
前記第１トリガ信号を受信したときに、演奏に伴って再生される伴奏曲の再生開始タイミングを前記演奏者に知らせるカウントを実行する制御を行うカウント実行制御部と、
前記カウントの実行後に続いて、前記伴奏曲を再生する制御を行う楽曲再生制御部と、
を含む、
ことを特徴とする電子楽器。
【発明の詳細な説明】
【技術分野】
【０００１】
本発明は、電子楽器システム、楽曲再生制御装置、及び電子楽器に関する。
【背景技術】
【０００２】
従来、例えば電子ピアノなどの電子楽器が知られている。電子楽器は、演奏者による演奏音を出力するのみではなく、様々な機能を備えている場合がある。例えば、演奏者の演奏に伴って内蔵（電子楽器に記憶された）楽曲（伴奏曲）を再生させる伴奏機能、演奏補助機能、あるいはＭＩＤＩ（Musical Instrument Digital Interface）信号を出力して他の装置を制御する機能を備えた電子楽器が知られている。
【０００３】
例えば、特許文献１には、エクスプレッションペダルを備えた電子鍵盤楽器であって、予め記憶された複数のフィルインデータの中から、エクスプレッションペダルの踏み込み量に応じて特定されたフィルインデータを出力する演奏補助機能を有する電子鍵盤楽器が開示されている。
【０００４】
また、特許文献２には、演奏者による打鍵に応じて、キューフラグが付されたイベントデータ（ＭＩＤＩ信号）を効果装置に対して出力して、当該効果装置において効果音を再生させるなどの処理を行わせる機能を有する電子鍵盤楽器が開示されている。
【先行技術文献】
【特許文献】
【０００５】
【特許文献１】特開平７−２２５５８０号公報
【特許文献２】特許第４２００６２１号
【発明の概要】
【発明が解決しようとする課題】
【０００６】
ところで、例えば上述の伴奏機能を利用した場合のように、再生された伴奏曲に合わせて演奏者が演奏を行う場合において、当該伴奏曲として電子楽器に内蔵された楽曲以外の楽曲を選択したいという要望がある。このような要望を実現するために、任意の楽曲を記憶させて再生できるデジタルオーディオプレーヤ（ＤＡＰ）などの楽曲再生制御装置において伴奏曲を再生させることが考えられる。あるいは、当該楽曲再生制御装置に相当するモジュールを電子楽器に内蔵して、当該モジュールにおいて伴奏曲を再生させることが考えられる。
【０００７】
伴奏曲を楽曲再生制御装置に再生させる場合、楽曲再生制御装置は演奏の邪魔にならない場所（例えば電子ピアノの場合鍵盤列の脇など）に配置されるのが通常であると考えられる。また、楽曲再生制御装置相当のモジュールが電子楽器に内蔵された場合、当該モジュールの操作部も演奏の邪魔にならない場所に配置されるのが通常であると考えられる。
【０００８】
楽曲再生制御装置あるいはモジュールの操作部が演奏の邪魔にならない場所に配置された場合、演奏に適した姿勢である演奏姿勢を維持したまま、演奏者が楽曲再生制御装置あるいはモジュールに対して伴奏曲の再生操作を行うことが困難となる場合がある。例えば、楽曲再生制御装置あるいはモジュールの操作部が電子ピアノの鍵盤列の脇に配置された場合、演奏者は、そこまで手を伸ばして伴奏曲の再生操作を行う必要がある。特に、操作部としてタッチパネル型液晶ディスプレイを採用した楽曲再生制御装置あるいはモジュールに対しては、演奏者は、当該ディスプレイを目視しながら伴奏曲の再生操作を行う必要がある。
【０００９】
したがって、演奏者は、楽曲再生制御装置あるいはモジュールに対して伴奏曲の再生操作をした後に、急いで演奏姿勢を取って演奏を開始しなければならなくなる。このために、楽曲の開始部分において好適な演奏ができなくなるおそれがある。
【００１０】
本発明の目的は、電子楽器に接続された楽曲再生制御装置あるいはそれに相当する電子楽器内蔵モジュールの制御において再生される伴奏曲に合わせて演奏者が演奏を行う場合、当該伴奏曲の開始タイミングを示すカウントの実行、及び当該伴奏曲の再生を開始させるための操作を演奏姿勢において実行可能とすることにある。
【課題を解決するための手段】
【００１１】
本発明は、電子楽器と、前記電子楽器と通信可能に接続された楽曲再生制御装置とを備えた電子楽器システムであって、前記電子楽器は、演奏操作部に対する演奏者による操作に応じて、第１トリガ信号を前記楽曲再生制御装置へ送信するトリガ送信部、を含み、前記楽曲再生制御装置は、前記第１トリガ信号を受信したときに、演奏に伴って再生される伴奏曲の再生開始タイミングを前記演奏者に知らせるカウントを実行する制御を行うカウント実行制御部と、前記カウントの実行後に続いて、前記伴奏曲を再生する制御を行う楽曲再生制御部と、を含む、ことを特徴とする。
【００１２】
望ましくは、前記トリガ送信部は、前記演奏者による操作に応じて、前記第１トリガ信号とは異なる第２トリガ信号を前記楽曲再生制御装置へ送信し、前記カウント実行制御部は、前記第２トリガ信号を受信したときは前記カウントを実行する制御を行わず、前記楽曲再生制御部は、前記第２トリガ信号を受信したときに、直ちに、予め選択された楽曲を再生する制御を行う、ことを特徴とする。
【００１３】
望ましくは、前記楽曲再生制御装置は、前記電子楽器と、前記楽曲再生制御装置との間の通信遅延時間を演算する通信遅延時間演算部をさらに含み、前記電子楽器が前記カウントを実行し前記楽曲再生制御装置が前記伴奏曲を再生する場合、及び前記電子楽器が前記伴奏曲を再生し前記楽曲再生制御装置が前記カウントを実行する場合のいずれかの場合、前記楽曲再生制御部は、演算された前記通信遅延時間に基づいて前記伴奏曲の再生開始タイミングを調整する、ことを特徴とする。
【００１４】
望ましくは、前記電子楽器が前記カウントを実行し前記楽曲再生制御装置が前記伴奏曲を再生する場合、前記カウント実行制御部は、前記第１トリガ信号を受信したときに、カウント指示信号、及び前記伴奏曲のテンポを示すテンポ情報を前記電子楽器へ送信し、前記電子楽器は、前記カウント指示信号及び前記テンポ情報を受信したときに、前記テンポ情報が示すテンポに基づいて前記カウントを実行するカウント実行部を含む、ことを特徴とする。
【００１５】
また、本発明は、電子楽器と通信可能に接続された楽曲再生制御装置であって、演奏操作部に対する演奏者による操作に応じて前記電子楽器から送信される第１トリガ信号を受信したときに、演奏に伴って再生される伴奏曲の再生開始タイミングを前記演奏者に知らせるカウントを実行する制御を行うカウント実行制御部と、前記カウントの実行後に続いて、前記伴奏曲を再生する制御を行う楽曲再生制御部と、を備えることを特徴とする。
【００１６】
また、本発明は、楽器モジュールと、前記楽器モジュールと通信可能に接続された楽曲再生制御モジュールとを備えた電子楽器であって、前記楽器モジュールは、演奏操作部に対する演奏者による操作に応じて、第１トリガ信号を前記楽曲再生制御モジュールへ送信するトリガ送信部、を含み、前記楽曲再生制御モジュールは、前記第１トリガ信号を受信したときに、演奏に伴って再生される伴奏曲の再生開始タイミングを前記演奏者に知らせるカウントを実行する制御を行うカウント実行制御部と、前記カウントの実行後に続いて、前記伴奏曲を再生する制御を行う楽曲再生制御部と、を含む、ことを特徴とする。
【発明の効果】
【００１７】
本発明によれば、電子楽器に接続された楽曲再生制御装置あるいはそれに相当する電子楽器内蔵モジュールの制御において再生される伴奏曲に合わせて演奏者が演奏を行う場合、当該伴奏曲の開始タイミングを示すカウントの実行、及び当該伴奏曲の再生を開始させるための操作を演奏姿勢において実行可能とすることができる。
【図面の簡単な説明】
【００１８】
【図１】本実施形態に係る電子ピアノシステムの構成概略図である。
【図２】電子ピアノ及びＤＡＰにおける各処理の実行タイミングを示す図である。
【図３】本実施形態に係る電子ピアノシステムにおける処理の流れを示すフローチャートである。
【図４】ＤＡＰモジュールが内蔵された電子ピアノの構成概略図である。
【発明を実施するための形態】
【００１９】
以下、本発明の実施形態について説明する。以下に説明する実施形態では、電子楽器として電子鍵盤楽器が用いられた例について説明する。
【００２０】
＜第１実施形態＞
図１には、本発明の第１実施形態に係る電子楽器システムとしての電子ピアノシステム１０の構成概略図が示されている。電子ピアノシステム１０は、電子鍵盤楽器としての電子ピアノ１２、及び、電子ピアノ１２と通信可能に接続された楽曲再生制御装置としてのＤＡＰ１４を含んで構成されている。
【００２１】
まず、電子ピアノ１２が有する各構成要素について説明する。電子ピアノ１２は、複数の演奏モードが設定可能となっている。例えば、演奏者の演奏に伴って伴奏曲が再生される伴奏モードが選択可能である。当該伴奏曲の再生制御は、後述するＤＡＰ１４により実行される。なお、本明細書における「伴奏曲」の語は、演奏に伴って再生される楽曲を意味するものであり、伴奏曲の内容としてはどのようなものであってもよい。例えば、その内容が主旋律であってもよく、作品として視聴される通常の楽曲であってもよい。
【００２２】
通信部２０は、例えばＵＳＢ（Universal Serial Bus）インターフェイスなどから構成され、ＤＡＰ１４と通信するために設けられる。なお、通信部２０としては、例えばブルートゥース（登録商標）アダプタなどの無線通信インターフェイスであってもよい。つまり、電子ピアノ１２とＤＡＰ１４は無線通信回線により接続されてもよい。
【００２３】
演奏操作部２２は、演奏者が電子ピアノ１２において演奏を行うために操作するものであり、例えば鍵盤列やペダル群などから構成される。また、演奏操作部２２は、演奏者からの操作に応じて、第１トリガ信号としての伴奏トリガ信号を出力する。本実施形態では、電子ピアノ１２の演奏モードが伴奏モードである場合に、ペダル群のうち所定のペダルが踏み込まれた場合に伴奏トリガ信号が出力される。伴奏トリガ信号は、通信部２０を介してＤＡＰ１４へ送信される。このように、演奏操作部２２は、第１トリガ信号をＤＡＰ１４へ送信するトリガ送信部としても機能する。後述のように、伴奏トリガ信号は、伴奏曲の再生開始タイミングを演奏者に知らせるカウントを実行するための制御、及び当該伴奏曲を再生するための制御をＤＡＰ１４に実行させるトリガとなる信号である。
【００２４】
操作部２４は、例えばボタン群などから構成され、演奏者からの指示を電子ピアノ１２に入力するものである。操作部２４は、例えば電子ピアノ１２から出力される楽音の音色設定、出力される楽音にかけられるエフェクタ（リバーブ、ディレイなど）に関する設定、あるいは演奏モードの設定などを行うために用いられる。また、操作部２４は、演奏者からの操作に応じて、第２トリガ信号としての即再生トリガ信号を出力する。本実施形態では、操作部２４に含まれるプレイボタンが押下された場合に、即再生トリガ信号が出力される。即再生トリガ信号は、伴奏トリガ信号とは異なる信号である。少なくとも、ＤＡＰ１４が両信号を識別可能な程度に異なる信号である。即再生トリガ信号は、通信部２０を介してＤＡＰ１４へ送信される。このように、操作部２４は、第２トリガ信号をＤＡＰ１４へ送信するトリガ送信部としても機能する。なお、本実施形態では、即再生トリガ信号は、操作部２４が演奏者に操作されたときに出力されているが、演奏操作部２２（例えば特定の鍵盤など）が操作された場合に即再生トリガ信号が出力されるようにしてもよい。
【００２５】
記憶部２６は、例えばＲＯＭ（Read Only Memory）などから構成され、電子ピアノ１２の各部を制御するためのプログラム、あるいは電子ピアノ１２から出力される楽音信号（例えばアコースティックピアノのサンプリング音データ）などが記憶される。また、記憶部２６には、電子ピアノ１２のデモ楽曲データ、練習用の練習用楽曲データなどを含む複数のピアノ側楽曲データ２８が記憶される。これらのピアノ側楽曲データ２８は、伴奏モードにおける伴奏曲として利用可能なものである。さらに、記憶部２６には、伴奏曲の再生開始に先立って出力されるピアノ側カウント音データ３０が記憶される。ピアノ側カウント音データ３０としては、例えばメトロノーム音のデータが用いられる。本実施形態では、ピアノ側楽曲データ２８及びピアノ側カウント音データ３０は、電子ピアノ１２の工場出荷時において既に記憶されている。
【００２６】
音源回路３１は、後述する制御部３４からの制御に基づいて、楽音信号、ピアノ側楽曲データ２８、及びピアノ側カウント音データ３０を記憶部２６から読み出して後述の音声出力部３２に出力する。なお、音源回路３１において、記憶部２６から読み出した楽音信号に対してエンベロープデータを付加するなどの処理が行われてもよい。
【００２７】
音声出力部３２は、音声信号を音波に変換して出力する不図示のスピーカー、及びヘッドフォンが接続されるヘッドフォンアンプを含む。音声出力部３２は、演奏者により演奏操作部２２が操作された（つまり電子ピアノ１２が演奏された）ときに、記憶部２６から読み出された楽音信号を出力する。また、音声出力部３２は、記憶部２６から読み出されたピアノ側楽曲データ２８、及びピアノ側カウント音データ３０を出力する。なお、音声出力部３２のスピーカー及びヘッドフォンアンプの前段には、不図示のＤＡＣ（Digital Audio Converter）及びアンプ（増幅回路）などが設けられる。
【００２８】
制御部３４は、例えばマイクロコントローラなどから構成され、記憶部２６に記憶されたプログラムに従って電子ピアノ１２の各部を制御するものである。後述のように、制御部３４は、ＤＡＰ１４から送信されるカウント指示信号に従って、記憶部２６に記憶されたピアノ側カウント音データ３０を音声出力部３２から出力させることでカウントを実行するカウント実行部としても機能する。また、ＤＡＰ１４から送信される楽曲再生指示信号に従って、記憶部２６に記憶されたピアノ側楽曲データ２８を音声出力部３２から出力させることで伴奏曲を含む楽曲を再生する楽曲再生部としても機能する。
【００２９】
なお、上記の他、電子ピアノ１２には、電子ピアノ１２に関する情報を表示する表示部（不図示）などを有している。
【００３０】
次に、ＤＡＰ１４が有する各構成要素について説明する。ＤＡＰ１４は、例えばアンドロイド（登録商標）などのオペレーションシステムを利用して動作するものであり、楽曲データの再生の他、様々なアプリケーションをインストールして実行することができる。本実施形態においては、ＤＡＰ１４は、電子ピアノ１２の伴奏モードに対応したアプリケーションで動作するものとする。当該アプリケーションにおいては、演奏者に伴奏曲が選択されると、当該伴奏曲はすぐに再生されずに再生待機状態となる。
【００３１】
通信部４０は、電子ピアノ１２の通信部２０同様、例えばＵＳＢインターフェイスなどから構成され、電子ピアノ１２と通信するために設けられる。なお、通信部２０同様、通信部４０としては、例えばブルートゥースアダプタなどの無線通信インターフェイスであってもよい。
【００３２】
記憶部４２は、ＲＯＭ及びＲＡＭ（Random Access Memory）などから構成され、ＤＡＰ１４の各部を制御するためのプログラムなどが記憶される。また、記憶部４２には、演奏者が任意に記憶及び削除可能な複数のＤＡＰ側楽曲データ４４が記憶される。これらのＤＡＰ側楽曲データ４４は、例えばインターネット上の楽曲データ販売サイトなどから購入してもよいし、市販のＣＤ（Compact Disc）などから抽出したものであってもよい。また、伴奏曲として適した複数の楽曲データを含むアプリケーションをＤＡＰ１４にインストールすることで、当該複数の楽曲データをＤＡＰ側楽曲データ４４として記憶部４２に記憶するようにしてもよい。ＤＡＰ側楽曲データ４４は、電子ピアノ１２の伴奏モードにおける伴奏曲として利用可能なものである。
【００３３】
さらに、記憶部４２には、ＤＡＰ側カウント音データ４６が記憶される。ＤＡＰ側カウント音データ４６もユーザが任意に記憶及び削除可能であり、ＤＡＰ側カウント音データ４６は複数記憶されてもよい。例えば、演奏者は、様々な種類のカウント音データ（例えばドラムのスティック音や電子クリック音のデータなど）をインターネットからダウンロードする、あるいは複数のカウント音データを含むアプリケーションをインストールすることで、当該複数のカウント音データをＤＡＰ側カウント音データ４６として記憶部４２に記憶するようにしてもよい。
【００３４】
表示部４８は、例えば液晶ディスプレイなどから構成され、ＤＡＰ１４に関する各種情報を表示する。また、表示部４８は、ＤＡＰ１４においてカウントが実行される際にも利用される。
【００３５】
操作部５０は、例えばタッチパネルなどから構成され、演奏者の指示をＤＡＰ１４に入力するためのものである。特に、操作部５０は、再生する楽曲を演奏者が選択する際に用いられる。本実施形態では、操作部５０により、再生する楽曲として、ＤＡＰ側楽曲データ４４のみならず、ピアノ側楽曲データ２８も選択可能となっている。電子ピアノ１２に記憶されたピアノ側楽曲データ２８に関する情報、例えば曲目リスト、あるいは各ピアノ側楽曲データ２８のメタデータ（テンポ情報含む）などは、例えば予め通信部２０を介してＤＡＰ１４に送信されるなどして、記憶部４２に記憶されている。また、操作部５０は、カウントの実行に用いるカウント音データを演奏者が選択する際にも用いられる。本実施形態では、操作部５０により、再生する楽曲として、ＤＡＰ側カウント音データ４６のみならず、ピアノ側カウント音データ３０も選択可能となっている。
【００３６】
音声信号出力部５２は、例えばラインアウト端子などから構成され、後述の制御部５４からの制御により記憶部４２から読み出され、不図示のＤＡＣによりＤＡ変換されたＤＡＰ側楽曲データ４４あるいはＤＡＰ側カウント音データ４６の音声信号を出力するためのものである。本実施形態では、音声信号出力部５２には、オーディオケーブルを介して電子ピアノ１２が接続され、ＤＡＰ側楽曲データ４４の音声信号などは電子ピアノ１２の音声出力部３２から出力される。あるいは、音声信号出力部５２には、外部アンプ及び外部スピーカーが接続可能であり、ＤＡＰ側楽曲データ４４などが当該外部スピーカーから出力されてもよい。なお、ＤＡＰ側楽曲データ４４及びＤＡＰ側カウント音データ４６は、通信部４０を介して電子ピアノ１２へ送信されて音声出力部３２から出力されるようにしてもよい。
【００３７】
制御部５４は、例えばシステムオンチップなどから構成され、記憶部４２に記憶されたプログラムに従ってＤＡＰ１４の各部を制御するものである。また、制御部５４は、図１に示される通り、カウント実行制御部５６、楽曲再生制御部５８、及び通信遅延時間演算部６０としても機能する。以下、これらの各機能について説明する。
【００３８】
カウント実行制御部５６は、電子ピアノ１２から伴奏トリガ信号を受信したときに、予め選択された伴奏曲の再生開始タイミングを演奏者に知らせるためのカウントを実行するための制御を行う。詳しくは、カウント実行制御部５６は、電子ピアノ１２及びＤＡＰ１４のいずれかにおいてカウントを実行させるための制御を行う。電子ピアノ１２とＤＡＰ１４のどちらでカウントを実行させるかは、演奏者が予め設定しておくことができる。なお、使用するカウント音データとして、ピアノ側カウント音データ３０が演奏者により選択された場合は電子ピアノ１２においてカウントが実行され、ＤＡＰ側カウント音データ４６が演奏者により選択された場合はＤＡＰ１４においてカウントが実行される。
【００３９】
ＤＡＰ１４がカウントを実行する場合、カウント実行制御部５６は、記憶部４２からＤＡＰ側カウント音データ４６の音声信号を読み出して、音声信号出力部５２から複数回（本実施形態では３回）出力させる。複数のＤＡＰ側カウント音データ４６の出力間隔は、予め演奏者に選択された伴奏曲のテンポに基づいて決定される。これにより、演奏者は伴奏曲の開始タイミングのみならず、当該伴奏曲のテンポも把握できる。なお、伴奏曲のテンポは、各ＤＡＰ側楽曲データ４４のメタデータに含まれており、カウント実行制御部５６は、伴奏曲として選択されたＤＡＰ側楽曲データ４４のメタデータから当該伴奏曲のテンポを取得する。
【００４０】
ＤＡＰ１４におけるカウント実行の方法は、他の方法であってもよい。例えば、上述のような音によるカウントに代えてあるいは加えて、カウント実行制御部５６は、例えば全画素最大輝度で表示部４８を点滅させるようにしてもよい。もちろん、当該点滅の間隔は、選択された伴奏曲のテンポに基づいて決定される。これにより、演奏者は、表示部４８を覗き込むまでもなく、つまり演奏姿勢を維持したまま、目視によって伴奏曲の開始タイミングと伴奏曲のテンポを把握できる。あるいは、ＤＡＰ１４が演奏者に携帯されていることを前提とするならば、カウント実行制御部５６は、ＤＡＰ１４に設けられたバイブレータ機能を利用して、伴奏曲のテンポに基づく間隔毎にＤＡＰ１４を振動させるようにしてもよい。
【００４１】
電子ピアノ１２がカウントを実行する場合、カウント実行制御部５６は、電子ピアノ１２にカウントを実行させるためのカウント指示信号を電子ピアノ１２に送信する。電子ピアノ１２の制御部３４は、当該カウント指示信号を受信したときに、記憶部２６からピアノ側カウント音データ３０を読み出して、音声出力部３２から複数回出力させる。もちろん、複数のピアノ側カウント音データ３０の出力間隔は、予め演奏者に選択された伴奏曲のテンポに基づいて決定される。
【００４２】
電子ピアノ１２がカウントを実行し、且つ、伴奏曲としてＤＡＰ側楽曲データ４４が選択された場合、電子ピアノ１２は当該伴奏曲のテンポを示す情報を有していないため、制御部３４が当該伴奏曲のテンポを把握することができない。したがって、この場合は、カウント実行制御部５６は、カウント指示信号に加え、当該伴奏曲のテンポを示すテンポ情報を電子ピアノ１２へ送信する。カウント指示信号及びテンポ情報を受信した制御部３４は、当該テンポ情報が示すテンポに基づいた間隔で、ピアノ側カウント音データ３０を音声出力部３２から複数回出力させる。なお、電子ピアノ１２がカウントを実行し、且つ、伴奏曲としてピアノ側楽曲データ２８が選択された場合、ＤＡＰ１４において伴奏曲が選択された時点で当該伴奏曲を特定する情報が電子ピアノ１２へ送信される。そして、電子ピアノ１２の制御部３４は、伴奏曲として選択されたピアノ側楽曲データ２８のメタデータから当該伴奏曲のテンポを取得する。
【００４３】
なお、カウント実行制御部５６は、電子ピアノ１２から即再生トリガを受信したときは、上述のカウントを実行するための制御を実行しない。
【００４４】
楽曲再生制御部５８は、ＤＡＰ側楽曲データ４４あるいはピアノ側楽曲データ２８を再生させるための楽曲再生制御を実行する。楽曲再生制御部５８は、電子ピアノ１２から伴奏トリガ信号を受信した場合、上記カウント実行制御部５６の制御によるカウント実行後に続いて、選択された伴奏曲を再生するための制御を行う。
【００４５】
伴奏曲としてＤＡＰ側楽曲データ４４が選択された場合、楽曲再生制御部５８は、記憶部４２から選択されたＤＡＰ側楽曲データ４４を読み出し、カウントの実行後に続いて、当該ＤＡＰ側楽曲データ４４の音声信号を音声信号出力部５２から出力させる。つまり伴奏曲を再生する。この場合、楽曲再生制御部５８は、選択されたＤＡＰ側楽曲データ４４が有するテンポ情報に基づいて、カウント実行に要するカウント時間を演算し、伴奏トリガを受けた時点から演算されたカウント時間経過後において伴奏曲の再生を開始する。
【００４６】
伴奏曲としてピアノ側楽曲データ２８が選択された場合、楽曲再生制御部５８は、ピアノ側楽曲データ２８を再生させるための楽曲再生指示信号を電子ピアノ１２に送信する。当該楽曲再生指示信号には、複数のピアノ側楽曲データ２８のうち、出力対象のピアノ側楽曲データ２８を特定する情報、及び当該ピアノ側楽曲データ２８の出力命令が含まれている。電子ピアノ１２の制御部３４は、当該楽曲再生指示信号を受信したときに、記憶部２６から指定されたピアノ側楽曲データ２８を読み出して、音声出力部３２から出力させる。つまり伴奏曲を再生する。この場合においても、楽曲再生制御部５８は、選択されたピアノ側楽曲データ２８のテンポ情報（上述の通り当該情報は予めＤＡＰ１４の記憶部４２に記憶されている）に基づいて、カウント実行に要する時間を演算し、演算された時間に基づいたタイミングで楽曲再生指示信号を電子ピアノ１２へ送信する。
【００４７】
電子ピアノ１２から即再生トリガを受信した場合、楽曲再生制御部５８は、直ちに、予め選択された楽曲の再生を開始する。選択された楽曲がＤＡＰ側楽曲データ４４である場合、楽曲再生制御部５８は、即再生トリガを受信したときに、直ちに当該ＤＡＰ側楽曲データ４４の音声信号を音声信号出力部５２から出力させる。予め選択された楽曲がピアノ側楽曲データ２８である場合、楽曲再生制御部５８は、即再生トリガを受信したときに、直ちに電子ピアノ１２に対して楽曲再生指示信号を送信する。
【００４８】
電子ピアノ１２の演奏モードが伴奏モードであったとしても、演奏者は、今から演奏する楽曲の確認などのために、演奏せずに楽曲を視聴したい場合がある。このような場合、楽曲の視聴の度にカウントが実行されるのは煩わしい。したがって、本実施形態に係る電子ピアノシステム１０おいては、再生開始指示後、カウント後に楽曲（伴奏曲）を再生する機能と共に、直ちに楽曲を再生する機能を設け、演奏者がニーズに応じてこれらを使い分けられるようにしている。
【００４９】
通信遅延時間演算部６０は、電子ピアノ１２とＤＡＰ１４との間における通信遅延時間を演算する。例えば、通信遅延時間演算部６０は、テストデータを電子ピアノ１２へ送信した時刻と、当該テストデータを受信した電子ピアノ１２からの返送データを受信した時刻との差に基づいて、通信遅延時間を演算する。
【００５０】
電子ピアノ１２とＤＡＰ１４との間は、通信回線により接続されていることから、両者の間には通信遅延が存在する。特に、両者が無線通信回線で接続された場合には、比較的通信遅延時間が大きくなる。カウントを実行する装置と伴奏曲を再生する装置が互いに異なる場合、具体的には、電子ピアノ１２がカウントを実行しＤＡＰ１４が伴奏曲を再生する場合、あるいは電子ピアノが伴奏曲を再生しＤＡＰ１４がカウントを実行する場合、詳しくは後述するように、両者間の通信遅延によって、カウントの終了タイミングと伴奏曲の開始タイミングがずれてしまうおそれがある。そこで、本実施形態においては、カウントの終了タイミングと伴奏曲の開始タイミングとのずれを低減させるために、通信遅延時間演算部６０が演算した通信遅延時間に基づいて、楽曲再生制御部５８が伴奏曲の再生開始タイミングを調整する。
【００５１】
図２を参照して、通信遅延時間に基づく伴奏曲の再生開始タイミングの調整方法の詳細について説明する。
【００５２】
図２（ａ）は、電子ピアノ１２がカウントを実行しＤＡＰ１４が伴奏曲を再生する場合の、電子ピアノ１２及びＤＡＰ１４における各処理の実行タイミングを示す図である。なお、図２においては、横軸が時間軸を示している。
【００５３】
まず、電子ピアノ１２は、時刻ｔ１において伴奏トリガ信号をＤＡＰ１４へ送信する。電子ピアノ１２とＤＡＰ１４間の通信遅延時間がＤだとすると、時刻ｔ１から通信遅延時間Ｄ経過後の時刻ｔ２においてＤＡＰ１４は伴奏トリガ信号を受信する。時刻ｔ２において、ＤＡＰ１４は、電子ピアノ１２に対してカウント指示信号を送信する。時刻ｔ２から通信遅延時間Ｄ経過後の時刻ｔ３において、電子ピアノ１２がカウント指示信号を受信してカウントを開始する。
【００５４】
ここで、カウントに要するカウント時間がＣｔだとすると、電子ピアノ１２がカウントを終了するのは時刻ｔ３からカウント時間Ｃｔ後である時刻ｔ５となる。しかしながら、楽曲再生制御部５８が通信遅延時間Ｄを考慮せずに、伴奏トリガ受信時刻（カウント指示信号送信時刻）ｔ２からカウント時間Ｃｔ後に伴奏曲の再生を開始してしまうと、図２（ａ）に示す通り、時刻ｔ５よりも前の時刻ｔ４において伴奏曲の再生が開始されることになってしまう。つまり、カウントの終了時間と伴奏曲の再生開始時間がずれてしまう。
【００５５】
この場合、当該時間のずれを低減するため、楽曲再生制御部５８は、伴奏トリガを受信した時刻ｔ２から、カウント時間Ｃｔと通信遅延時間Ｄを足し合わせた時間（Ｃｔ＋Ｄ）経過後に伴奏曲の再生を開始させる。これにより、カウントの終了時間と伴奏曲の再生開始時間のずれが低減される。
【００５６】
図２（ｂ）は、電子ピアノ１２が伴奏曲を実行しＤＡＰ１４がカウントを実行する場合の、電子ピアノ１２及びＤＡＰ１４における各処理の実行タイミングを示す図である。
【００５７】
図２（ａ）の場合と同様に、電子ピアノ１２は時刻ｔ１において伴奏トリガ信号をＤＡＰ１４へ送信し、ＤＡＰ１４は、時刻ｔ２において伴奏トリガ信号を受信する。そして、時刻ｔ２においてＤＡＰ１４はカウントを開始する。カウント終了時刻は、カウント開始時刻ｔ２からカウント時間Ｃｔ後の時刻ｔ４となる。しかし、ＤＡＰ１４が、カウント終了時刻である時刻ｔ４において楽曲再生指示信号を電子ピアノ１２へ送信したとすると、電子ピアノ１２が当該楽曲再生指示信号を受信するのは時刻ｔ４から通信遅延時間がＤ経過後の時刻ｔ５となり、伴奏曲の再生が開始されるのが時刻ｔ５となってしまう。つまり、カウントの終了時間と伴奏曲の再生開始時間がずれてしまう。
【００５８】
この場合、当該時間のずれを低減するため、楽曲再生制御部５８は、伴奏トリガを受信した時刻ｔ２から、カウント時間Ｃｔから通信遅延時間Ｄを減じた時間（Ｃｔ−Ｄ）後である時刻ｔ４ａにおいて、楽曲再生指示信号を電子ピアノ１２へ送信する。すると、電子ピアノ１２が当該楽曲再生指示信号を受信するのは時刻ｔ４ａから通信遅延時間Ｄ経過後の時刻ｔ４となり、伴奏曲の再生が開始されるのが時刻ｔ４（つまりＤＡＰ１４におけるカウント終了時刻）となる。これにより、カウントの終了時間と伴奏曲の再生開始時間のずれが低減される。
【００５９】
本実施形態に係る電子ピアノシステム１０の構成概略は以上の通りである。以下、図３に示すフローチャートに従って、電子ピアノシステム１０における処理（特にＤＡＰ１４の処理）の流れを説明する。
【００６０】
ステップＳ１０において、演奏者は、ＤＡＰ１４の操作部５０を操作して楽曲を選択する。楽曲としては、ピアノ側楽曲データ２８及びＤＡＰ側楽曲データ４４のいずれかが選択される。また、演奏者は、ＤＡＰ１４の操作部５０を操作してカウント音を選択する。カウント音としては、ピアノ側カウント音データ３０及びＤＡＰ側カウント音データ４６のいずれかが選択される。楽曲及びカウント音が選択されると、ステップＳ１２において、楽曲再生制御部５８は、選択された楽曲の再生を一時待機させる。
【００６１】
ステップＳ１４において、ＤＡＰ１４の制御部５４は、電子ピアノ１２からトリガ信号を受信したか否かを判定する。また、トリガ信号を受信した場合は、受信したトリガ信号の種類を判別する。制御部５４は、電子ピアノ１２からトリガ信号を受信していない場合は、トリガ信号を受信するまで待機する。
【００６２】
ステップＳ１４において、制御部５４が電子ピアノ１２からのトリガ信号を受信したと判定し、当該トリガ信号が即再生トリガ信号であると判別した場合は、ステップＳ１６に進む。
【００６３】
ステップＳ１６において、楽曲再生制御部５８は、ステップＳ１０で選択された楽曲が電子ピアノ１２とＤＡＰ１４のいずれかで再生されるか判定する。具体的には、ステップＳ１０において、ＤＡＰ側楽曲データ４４が選択された場合は、ＤＡＰ１４で楽曲が再生されると判定し、ピアノ側楽曲データ２８が選択された場合は、電子ピアノ１２で楽曲が再生されると判定する。
【００６４】
ステップＳ１６で楽曲がＤＡＰ１４で再生されると判定した場合は、ステップＳ１８において、楽曲再生制御部５８は当該楽曲を再生させる。ステップＳ１６で楽曲が電子ピアノ１２で再生されると判定した場合は、ステップＳ２０において、楽曲再生制御部５８は、当該楽曲を再生させるための楽曲再生指示信号を電子ピアノ１２へ送信する。
【００６５】
ステップＳ１４において、制御部５４が電子ピアノ１２からのトリガ信号を受信したと判定し、当該トリガ信号が伴奏トリガ信号であると判別した場合は、ステップＳ２２に進む。
【００６６】
ステップＳ２２において、カウント実行制御部５６は、ステップＳ１０で選択されたカウント音が電子ピアノ１２とＤＡＰ１４のいずれかで再生されるか否かを判定する。具体的には、ステップＳ１０において、ＤＡＰ側カウント音データ４６が選択された場合は、ＤＡＰ１４でカウントが実行されると判定し、ピアノ側カウント音データ３０が選択された場合は、電子ピアノ１２でカウントが実行されると判定する。
【００６７】
ステップＳ２２でカウントがＤＡＰ１４で実行されると判定した場合は、ステップＳ２４において、カウント実行制御部５６は、ＤＡＰ１４においてカウントを実行する。具体的には、ＤＡＰ側カウント音データ４６の音声信号を音声信号出力部５２から出力させる。
【００６８】
また、ステップＳ２２でカウントが電子ピアノ１２で実行されると判定した場合は、ステップＳ２６において、カウント実行制御部５６は、カウント指示信号及び選択された楽曲（伴奏曲）のテンポを示すテンポ情報を電子ピアノ１２へ送信する。
【００６９】
ステップＳ２８において、電子ピアノ１２の制御部３４は、カウント指示信号及びテンポ情報を受信すると、テンポ情報に基づいてカウントを実行させる。つまり、テンポ情報が示すテンポにおいて、ピアノ側カウント音データ３０を音声出力部３２から複数回出力させる。
【００７０】
ステップＳ３０において、楽曲再生制御部５８は、ステップＳ１０で選択された楽曲（伴奏曲）が電子ピアノ１２とＤＡＰ１４のいずれかで再生されるか判定する。具体的には、ステップＳ１０において、ＤＡＰ側楽曲データ４４が選択された場合は、ＤＡＰ１４で伴奏曲が再生されると判定し、ピアノ側楽曲データ２８が選択された場合は、電子ピアノ１２で伴奏曲が再生されると判定する。
【００７１】
ステップＳ３０で伴奏曲がＤＡＰ１４で再生されると判定した場合は、ステップＳ３２において、楽曲再生制御部５８は、ステップＳ２４又はステップＳ２８におけるカウントの実行後に続いて、ステップＳ１０で選択された伴奏曲を再生させる。カウントが電子ピアノ１２で実行された場合（ステップＳ２８を経由した場合）は、図２を用いて説明したように、楽曲再生制御部５８は、電子ピアノ１２とＤＡＰ１４との間の通信遅延時間を考慮したタイミングで当該伴奏曲の再生を開始させる。
【００７２】
ステップＳ３０で伴奏曲が電子ピアノ１２で再生されると判定した場合は、ステップＳ３４において、楽曲再生制御部５８は、ステップＳ２４又はステップＳ２８におけるカウントの実行後に続いて、ステップＳ１０で選択された伴奏曲を再生させるための楽曲再生指示信号を電子ピアノ１２に送信する。カウントがＤＡＰ１４で実行された場合（ステップＳ２４を経由した場合）は、図２を用いて説明したように、楽曲再生制御部５８は、電子ピアノ１２とＤＡＰ１４との間の通信遅延時間を考慮したタイミングで当該楽曲再生指示信号を送信する。
【００７３】
以上説明した電子ピアノシステム１０によれば、ＤＡＰ１４において予め伴奏曲が選択され、当該伴奏曲の再生が一時待機された状態において、演奏者の演奏操作部２２への操作に応じて当該伴奏曲の開始タイミング及びテンポを示すカウントが実行される。そして、当該カウントの実行後に続いて当該伴奏曲が再生される。したがって、演奏者は、演奏姿勢において、カウントを実行させ伴奏曲を再生させることができる。これにより、演奏者は、楽曲の開始部分から好適な演奏を行うことができる。また、本実施形態によれば、演奏者は、カウント開始時点において既に演奏姿勢を取っているから、カウントをしっかり聴くことができ、伴奏曲のテンポをしっかり掴んで演奏の準備を十分に行うことが可能になる。
【００７４】
＜第２実施形態＞
図４には、本発明の第２実施形態に係る電子ピアノ７０の構成概略図が示されている。第１実施形態は、電子ピアノ１２とＤＡＰ１４を含む電子ピアノシステム１０に係るものであったが、第２実施形態は、第１実施形態のＤＡＰ１４に相当する楽曲再生制御モジュールとしてのＤＡＰモジュール７２が内蔵された電子ピアノ７０に係るものである。電子ピアノ７０は、ＤＡＰモジュール７２の他、電子ピアノとしての機能を発揮する（つまり第１実施形態における電子ピアノ１２に相当する）楽器モジュールとしてのピアノモジュール７４を含んで構成されている。
【００７５】
ＤＡＰモジュール７２に含まれる各構成要素は、第１実施形態におけるＤＡＰ１４に含まれる各構成要素と同等であるため、各構成要素に図１と同じ符号を付してこれらの説明は省略する。なお、電子ピアノ７０にＤＡＰモジュール７２が内蔵されたため、操作部５０は、ＤＡＰモジュール７２に対する演奏者の指示のみならず、ピアノモジュール７４に対する演奏者の指示を入力するために用いられる。また、表示部４８には、ＤＡＰモジュール７２に関する情報の他、ピアノモジュール７４に関する情報が表示される。
【００７６】
ピアノモジュール７４に含まれる各構成要素は、第１実施形態における電子ピアノ１２に含まれる各構成要素と同等であるため、各構成要素に図１と同じ符号を付してこれらの説明は省略する。なお、上述の通り、ピアノモジュール７４に対する指示はＤＡＰモジュール７２の操作部５０により入力され、ピアノモジュール７４に関する情報はＤＡＰモジュール７２の表示部４８に表示されるため、ピアノモジュール７４においては、第１実施形態における電子ピアノ１２が有していた操作部２４及び不図示の表示部は省略される。
【００７７】
以上、本発明に係る実施形態を説明したが、本発明は上記実施形態に限られるものではなく、本発明の趣旨を逸脱しない限りにおいて種々の変更が可能である。
【符号の説明】
【００７８】
１０  電子ピアノシステム、１２，７０  電子ピアノ、１４  ＤＡＰ、２０，４０  通信部、２２  演奏操作部、２４，５０  操作部、２６，４２  記憶部、２８  ピアノ側楽曲データ、３０  ピアノ側カウント音データ、３１  音源回路、３２  音声出力部、３４，５４  制御部、４４  ＤＡＰ側楽曲データ、４６  ＤＡＰ側カウント音データ、４８  表示部、５２  音声信号出力部、５６  カウント実行制御部、５８  楽曲再生制御部、６０  通信遅延時間演算部、７２  ＤＡＰモジュール、７４  ピアノモジュール。
【図１】
0006681240.tif 000002
【図２】
0006681240.tif 000003
【図３】
0006681240.tif 000004
【図４】
0006681240.tif 000005